(57)【特許請求の範囲】
【請求項１】
少なくとも前面に表示面を備えた表示部材と、該表示部材の対向する２つの端部に夫々設けた被軸支部を軸支することにより該表示部材を回転自在とするホルダと、前記表示部材の被軸支部間を結ぶ第１の回転軸を中心とした前記表示部材の回転角度の変更の維持を行う表示部材姿勢制御機構と、前記第１の回転軸と並行であり且つ該第１の回転軸よりも後方寄りに配置されて各ホルダを回転自在に軸支する第２の回転軸と、前記ホルダと前記第２の回転軸を所定の移動経路に沿って移動させる動作機構と、前記ホルダが前記移動経路の一端に位置する時に前記ホルダと接することにより前記表示部材を前記第２の回転軸を中心として任意の角度傾斜させるストッパと、を有した可動盤面部品を備えたことを特徴とする遊技機。
【請求項２】
前記ホルダ及び前記表示部材は、主表示部材の前面に沿って移動する構成を備え、
前記ホルダが前記主表示部材の周縁寄り位置にない時に、前記表示部材は前方を向いた姿勢にあり、
前記ホルダが前記周縁寄り位置にある時に、前記ストッパが前記ホルダと接して前記表示面を前方に向けさせた状態で内側端縁を後方へ傾斜させることを特徴とする請求項１に記載の遊技機。
【請求項３】
前記主表示部材は、画像表示装置であり、
前記表示部材は、前記画像表示装置よりも小面積のサブ画像表示装置であり、
前記ホルダは、前記各被軸支部を軸支する２つのホルダ部材と、前記２つのホルダ部材間を連結し、且つ前記第２の回転軸によって前記各ホルダ部材を回転自在に軸支する連結部材と、を備えていることを特徴とする請求項１又は２に記載の遊技機。
【発明の詳細な説明】
【技術分野】
【０００１】
本発明は、大面積の主画像表示装置とは別に小面積で、且つ所定の動作を行うサブ画像表示装置を備えた遊技機の改良に関する。
【背景技術】
【０００２】
パチンコ遊技機、スロットマシン等の各種遊技機においては、遊技盤面に設けた液晶表示装置等の画像表示装置に遊技内容と関わりのある絵柄、文字、符号等の種々の画像を表示して、遊技状況を表示したり、演出効果を発揮させるようにしている。
近年、大面積の主液晶表示装置の表示画面前方に、可動役物としての小面積のサブ液晶表示装置を配置し、サブ液晶表示装置を種々動作させるようにした遊技機が提案されている（特許文献１）。
【０００３】
ところで、主液晶表示装置の前方に配置されて独自に動作するサブ液晶表示装置は、遊技者の目の高さ位置と同等の高さ位置にある時にはその画面を水平姿勢とすることにより画面の映像を見やすくすることができる。一方、サブ液晶表示装置が遊技者の目の高さから大きく下降した位置に移動した場合には、遊技者を画面を見るためには視線を斜め下方に落とす必要があるが、画面が水平な姿勢を維持したままでは映像を見にくくなるため、画面と視線とがほぼ直交（或いは、直交以外の状態での交差）するように画面を斜め上向きに傾斜させる必要がある。
【０００４】
図２５（ａ）は従来のサブ液晶表示装置とその支持機構を示す斜視図であり、（ｂ）は側面図である。
四角い薄板状のサブ液晶表示装置１００は、長手方向両端面の中央部に夫々設けた軸部１０５を二個のホルダ部材１１０によって回転自在に軸支することによって、軸部１０５を中心として上下方向に回動自在に構成されると共に、図示しない移動機構により主液晶表示装置１２０の前面に沿った所定の軌道に沿って移動するように駆動される。
図２５（ｂ）のようにサブ液晶表示装置１００が主液晶表示装置１２０の下端縁に下降した際には、軸部１０５を中心として画面１０１を斜め上向きに角度θ傾斜させることにより、遊技者の視線と画面１０１とを直交に近い状態にして映像を見やすくすることができる。
【０００５】
ところで、主液晶表示装置１２０として画面が大きいタイプを使用する場合には必然的に厚みも大きくなる。一方、遊技機全体の前後方向寸法（厚み）は限られているため、厚みの大きい主液晶表示装置１２０を遊技盤の背面側に組み込むとすれば、主液晶表示装置の画面の前方に残される役物配置スペースが狭くなることは必然である。
一方、図２５（ｂ）に示したように画面１０１を斜め上向きに傾斜させるために軸部１０５を中心としてサブ液晶表示装置の上部を斜め後方に倒す（下部を斜め上方に引き上げる：破線で図示）方法を採るとすれば、サブ液晶表示装置１００が垂直な姿勢を維持している場合（実線図示）に比して前方への突出長Ｌの分だけ、サブ液晶表示装置を配置するためのスペースを広く確保しておく必要が生じる。
このため、図示した如きサブ液晶表示装置の支持機構を、厚さの大きい主液晶表示装置の前面側に配置する場合には、更に前方に位置するガラス板等と干渉する虞があるため、サブ液晶表示装置を十分な角度、上向きに傾斜させることが難しくなる。
また、従来サブ液晶表示装置を上向きに傾斜させるためには、ホルダ部材１１０側にモータ等を配置する必要があり、これが大型化、コストアップの原因となっていた。
なお、このような問題は、サブ液晶表示装置が遊技者の目の位置から下方へ移動する場合のみならず、上方、左右方向、斜め方向に移動した場合にも同様に生じる問題である。
【先行技術文献】
【特許文献】
【０００６】
【特許文献１】特開２０１１−８７６６４公報
【発明の概要】
【発明が解決しようとする課題】
【０００７】
従来のサブ液晶表示装置を備えた遊技機にあっては、サブ液晶表示装置の表示画面を遊技者の目の正面位置から大きく離れた位置に移動させた場合に、表示画面の映像を視認し易くするためには、サブ液晶表示装置全体の姿勢を遊技者の視線に合わせて傾斜させる必要があったが、サブ液晶表示装置の両側端面に設けた軸部を中心として回動させて傾斜させるだけであると、サブ液晶表示装置の下部の前後方向への突出長が大きくなって、前方に位置する部品と干渉する虞があった。
また、サブ液晶表示装置を傾斜させるための専用モータをホルダ部材側に設けるとすれば、大型化、コストアップを招く原因となる。
本発明は上記に鑑みてなされたものであり、主画像表示装置の前面に沿って進退動作するサブ画像表示装置が遊技者の目の正面位置から離れた位置に移動した場合に、構成を複雑化、大型化したり、前後方向突出長を増大させることなく、サブ画像表示装置の表示画像を遊技者の視線に合わせて傾斜させて表示画面の映像を視認し易くした遊技機を提供することを目的としている。
【課題を解決するための手段】
【０００８】
上記目的を達成するため、請求項１の発明に係る遊技機は、少なくとも前面に表示面を備えた表示部材と、該表示部材の対向する２つの端部に夫々設けた被軸支部を軸支することにより該表示部材を回転自在とするホルダと、前記表示部材の被軸支部間を結ぶ第１の回転軸を中心とした前記表示部材の回転角度の変更の維持を行う表示部材姿勢制御機構と、前記第１の回転軸と並行であり且つ該第１の回転軸よりも後方寄りに配置されて各ホルダを回転自在に軸支する第２の回転軸と、前記ホルダと前記第２の回転軸を所定の移動経路に沿って移動させる動作機構と、前記ホルダが前記移動経路の一端に位置する時に前記ホルダと接することにより前記表示部材を前記第２の回転軸を中心として任意の角度傾斜させるストッパと、を有した可動盤面部品を備えたことを特徴とする。
請求項２の発明は、前記ホルダ及び前記表示部材は、主表示部材の前面に沿って移動する構成を備え、前記ホルダが前記主表示部材の周縁寄り位置にない時に、前記表示部材は前方を向いた姿勢にあり、前記ホルダが前記周縁寄り位置にある時に、前記ストッパが前記ホルダと接して前記表示面を前方に向けさせた状態で内側端縁を後方へ傾斜させることを特徴とする。
請求項３の発明は、前記主表示部材は、画像表示装置であり、前記表示部材は、前記画像表示装置よりも小面積のサブ画像表示装置であり、前記ホルダは、前記各被軸支部を軸支する２つのホルダ部材と、前記２つのホルダ部材間を連結し、且つ前記第２の回転軸によって前記各ホルダ部材を回転自在に軸支する連結部材と、を備えていることを特徴とする。
【発明の効果】
【０００９】
本発明では、構成を複雑化させることなく、表示部材の表示面を遊技者の視線に合わせて傾斜させて表示面を視認し易くすることができる。
【図面の簡単な説明】
【００１０】
【図１】本発明の実施形態に係る遊技機の一例としてのパチンコ遊技機の構成例を示した全体正面図である。
【図２】各種部品を搭載した遊技盤の正面図である。
【図３】遊技盤面上における各演出用可動装置の動作を示す説明図である。
【図４】遊技盤面上における各演出用可動装置の動作を示す説明図である。
【図５】遊技盤面上における各演出用可動装置の動作を示す説明図である。
【図６】遊技盤面上における各演出用可動装置の動作を示す説明図である。
【図７】遊技盤面上における各演出用可動装置の動作を示す説明図である。
【図８】第１の演出用可動装置が下降位置（第１の位置）にあるときの正面側斜視図である。
【図９】第１の演出用可動装置の背面側斜視図である。
【図１０】（ａ）（ｂ）及び（ｃ）は第１の演出用可動装置が上昇位置、中間位置、及び下降位置にある時の正面図である。
【図１１】（ａ）及び（ｂ）は第１の演出用可動装置が上昇位置にあり且つ表示部材が縦姿勢にある時の正面図及び、第１の演出用可動装置が上昇位置にあり且つ表示部材が水平姿勢にある時の正面図である。
【図１２】（ｃ）は第１の演出用可動装置が中間位置にある時の正面図、（ｄ）は第１の演出用可動装置が下降位置にある時の正面図である。
【図１３】第１の演出用可動装置の正面側分解斜視図である。
【図１４】第１の演出可動装置の動作機構の背面側分解斜視図である。
【図１５】ホルダ、及び移動機構の構成を示す背面側分解斜視図である。
【図１６】ホルダの分解斜視図を含む移動機構の正面側斜視図である。
【図１７】サブ画像表示装置が最下降位置にある時の動作機構の背面図である。
【図１８】（ａ）及び（ｂ）はサブ画像表示装置が順次上昇して行く過程を示す動作機構の背面図である。
【図１９】（ａ）及び（ｂ）はサブ画像表示装置が順次上昇して最上位置に達する過程を示す動作機構の背面図である。
【図２０】（ａ）乃至（ｃ）は動作機構がサブ画像表示装置を順次下降させる動作手順を示す背面図である。
【図２１】（ａ）及び（ｂ）は昇降機構、駆動機構、ホルダのリンク状態（下降位置）を示す正面図及び背面図である。
【図２２】（ａ）乃至（ｃ）は動作機構の各動作態様とホルダ（表示部材）の姿勢との対応関係を示す図である。
【図２３】（ａ）乃至（ｃ）は動作機構の各動作態様とホルダ（表示部材）の姿勢との対応関係を示す側面図である。
【図２４】本発明による作用効果を説明するための模式図である。
【図２５】（ａ）は従来のサブ液晶表示装置とその支持機構を示す斜視図であり、（ｂ）は側面図である。
【発明を実施するための形態】
【００１１】
以下、本発明を図面に示した実施の形態により詳細に説明する。
図１は本発明の実施形態に係る遊技機の一例としてのパチンコ遊技機の構成例を示した全体正面図であり、図２は各種部品を搭載した遊技盤の正面図であり、図３乃至図７は遊技盤面上における各演出用可動装置の動作を示す説明図である。
【００１２】
図１において、遊技機１は、遊技店の島設備に取り付けられる外枠３００と、その外枠３００により回動可能に支持されたガラス枠３１０と、が備えられている。外枠３００には遊技球が流下する遊技領域３が形成された遊技盤２が設けられている。
ガラス枠３１０は、遊技盤２の前方（遊技者側）において遊技領域３を視認可能に覆うガラス板（図示しない）を支持している。
また、ガラス枠３１０には、回動操作されることにより遊技領域３に向けて遊技球を発射させる操作ハンドル３１１と、音声出力装置（スピーカ）３１２と、複数のランプを有する上下の演出用照明装置３１３ａ、３１３ｂと、押圧操作により演出態様を変更させるための演出ボタン３１４と、左右の演出用可動照明装置３２０Ｌ、３２０Ｒが設けられている。演出用可動照明装置３２０Ｌ、３２０Ｒは、ガラス枠３１０の左上隅及び右上隅に設けられている。
【００１３】
演出用可動照明装置３２０Ｌ、３２０Ｒは、図示しない可動照明部を備えており、図１に示す可動照明部を収納（閉塞）した状態から可動照明部を開放（突出）した状態に自動的に変動させることができるように構成されている。
さらに、ガラス枠３１０の下側には、受皿ユニット３１５が設けられている。受皿ユニット３１５には、複数の遊技球を貯留する球皿部が設けられており、この球皿部は、操作ハンドル３１１の方向側に遊技球が流下するように下りの傾斜を有している。そして、遊技者が操作ハンドル３１１を回動させると、遊技球が遊技領域３に発射されることとなる。
上記のようにして発射された遊技球がレール５ａ、５ｂ間を上昇して玉戻り防止片５ｃを超えると、遊技領域３に到達し、その後遊技領域３内を落下する。このとき、遊技領域３に設けられた複数の釘や風車によって、遊技球は予測不能に落下することとなる。
【００１４】
次に、遊技盤２の遊技領域３の構成について説明する。
図１、図２において、遊技領域３には、複数の一般入賞口１８が設けられている。これら各一般入賞口１８に遊技球が入賞すると、所定の賞球（例えば１０個の遊技球）が払い出される。
また、遊技領域３の中央下側の領域には、遊技球が入球可能な始動領域を構成する第１始動口１３および第２始動口１４が設けられている。
この第２始動口１４は、開閉扉１４ｂを有しており、開閉扉１４ｂが閉状態に維持される第１の態様と、開閉扉１４ｂが開状態となる第２の態様とに可動制御される。従って、第２始動口１４は、第１の態様にあるときには遊技球の入賞機会がなく、第２の態様にあるときには遊技球の入賞機会が増すこととなる。
【００１５】
ここで、第１始動口１３または第２始動口１４に遊技球が入球すると、特別図柄判定用乱数値等を取得し、大当たり遊技を実行する権利獲得の抽選（以下、「大当たり抽選」という）が行われる。また、第１始動口１３または第２始動口１４に遊技球が入球した場合には、所定の賞球（例えば３個の遊技球）が払い出される。
さらに、遊技領域３の右側の領域には、遊技球が通過可能な普通図柄用のゲート１５と、遊技球が入球可能な第１大入賞口１６及び第２大入賞口１７とが設けられている。
このため、操作ハンドル３１１を大きく回動させ、強い力で打ち出された遊技球でないと、ゲート１５と第１大入賞口１６及び第２大入賞口１７とには遊技球が、通過または入賞しないように構成されている。
ゲート１５において遊技球の通過を検出すると、普通図柄判定用乱数値を取得し、「普通図柄の当たり抽選」が行われる。
【００１６】
第１大入賞口１６は、通常は第１大入賞口開閉扉１６ｂによって閉状態に維持されており、遊技球の入球を不可能としている。これに対して、所定の特別遊技が開始されると、第１大入賞口開閉扉１６ｂが開放されるとともに、この第１大入賞口開閉扉１６ｂが遊技球を第１大入賞口１６内に導く受け皿として機能し、遊技球が第１大入賞口１６に入球可能となる。第１大入賞口１６に遊技球が入球すると予め設定された賞球（例えば１５個の遊技球）が払い出される。
第２大入賞口１７は、通常は第２大入賞口可動片１７ｂによって閉状態に維持されており、遊技球の入球を不可能としている。これに対して、所定の特別遊技が開始されると、第２大入賞口可動片１７ｂが開放されるとともに、この第２大入賞口可動片１７ｂが遊技球を第２大入賞口１７内に導く誘導路として機能し、遊技球が第２大入賞口１７に入球可能となる。第２大入賞口１７に遊技球が入球した場合も予め設定された賞球（例えば１５個の遊技球）が払い出される。
さらには、遊技領域３の最下部の領域には、一般入賞口１８、第１始動口１３、第２始動口１４、第１大入賞口１６および第２大入賞口１７のいずれにも入球しなかった遊技球を排出するためのアウト口１９が設けられている。
【００１７】
また、遊技領域３の中央には開口部３Aが形成されており、開口部３Aの周縁に沿って遊技球の流下に影響を与える飾り部材６が設けられている。この飾り部材６の略中央部分（開放部）であって遊技盤の背面側には、液晶表示装置等からなる主画像表示装置（主表示部材）７が設けられている。この主画像表示装置７の周縁には各種演出用可動装置Ａ〜Ｄが設けられている。
この主画像表示装置（主表示部材）７は、遊技が行われていない待機中に画像を表示したり、遊技の進行に応じた画像を表示したりする。なかでも、後述する大当たり抽選の結果を報知するための３個の演出図柄８が表示され、特定の演出図柄８の組合せ（例えば、７７７等）が停止表示されることにより、大当たり抽選結果として大当たりが報知される。
具体的には、第１始動口１３または第２始動口１４に遊技球が入球したときには、３個の演出図柄８をそれぞれスクロール表示するとともに、所定時間経過後に当該スクロールを停止させて、演出図柄８を停止表示するものである。また、この演出図柄８の変動表示中に、さまざまな画像やキャラクタ等を表示することによって、大当たりに当選するかもしれないという高い期待感を遊技者に与えるようにもしている。
【００１８】
各演出用可動装置Ａ〜Ｄは、その動作態様によって遊技者に期待感を与えるものである。各演出用可動装置は、例えば主画像表示装置の表示画面の周縁に退避した位置から中央寄りに突出した位置に移動したり、変形する等の各種動作を行う。これら演出用可動装置の動作態様によって、遊技者にさまざまな期待感を与えるようにしている。
さらに、上記の各種の演出装置に加えて、音声出力装置３１２は、ＢＧＭ（バックグランドミュージック）、ＳＥ（サウンドエフェクト）等を出力し、サウンドによる演出を行い、演出用照明装置３１３ａ、３１３ｂは、各ランプの光の照射方向や発光色を変更して、照明による演出を行うようにしている。
遊技盤２の左下方には、各種図柄を表示するための図柄表示装置９が設けられている。
受皿ユニット３１５の上面には、一般的にチャンスボタンと呼ばれる演出ボタン３１４が配置されている。演出ボタン３１４の操作は、例えば遊技中における特定のリーチ演出に際し、演出ボタン３１４の操作を促すガイダンスが主画像表示装置７に表示されている間有効となる。
【００１９】
図１、図２において、飾り部材６の内側に露出した主画像表示装置７の表示画面（表示面）７ａの前部下方には、第１の演出用可動装置Ａが配置され、表示画面７ａの左右両側方に位置する飾り部材６の縦枠の裏側には第２の演出用可動装置Ｂが表示画面上に出没自在に配置されており、表示画面７ａの上部中央には第３の演出用可動装置Ｃが昇降自在に配置され、表示画面の左右両側方に位置する飾り部材部分の裏側には第４の演出用可動部材Ｄが表示画面上に出没自在に配置されている。
【００２０】
以下に、第１の演出用可動装置について説明する。
図８は第１の演出用可動装置が下降位置（第１の位置）にあるときの正面側斜視図であり、図９は第１の演出用可動装置の背面側斜視図であり、図１０（ａ）（ｂ）及び（ｃ）は第１の演出用可動装置が上昇位置、中間位置、及び下降位置にある時の正面図であり、図１１（ａ）及び（ｂ）は第１の演出用可動装置が上昇位置にあり且つ表示部材が縦姿勢にある時の正面図、及び上昇位置にあり且つ表示部材が水平姿勢にある時の正面図であり、図１２（ｃ）は中間位置にある時の正面図であり、（ｄ）は第１の演出用可動装置が下降位置にある時の正面図である。
図１３は第１の演出用可動装置の正面側分解斜視図であり、図１４は第１の演出可動装置の動作機構の背面側分解斜視図である。
図１５はホルダ、及び移動機構の構成を示す背面側分解斜視図であり、図１６はホルダの分解斜視図を含む移動機構の正面側斜視図である。
図１７はサブ画像表示装置が最下降位置にある時の動作機構の背面図であり、図１８（ａ）及び（ｂ）はサブ画像表示装置が順次上昇して行く過程を示す動作機構の背面図であり、図１９（ａ）及び（ｂ）はサブ画像表示装置が順次上昇して最上位置に達する過程を示す動作機構の背面図であり、図２０（ａ）乃至（ｃ）は動作機構がサブ画像表示装置を順次下降させる動作手順を示す背面図であり、図２１（ａ）及び（ｂ）は昇降機構、駆動機構、ホルダのリンク状態（下降位置）を示す正面図及び背面図である。
また、図２２（ａ）乃至（ｃ）は動作機構の各動作態様とホルダ（表示部材）の姿勢との対応関係を示す図であり（右図が正面図、左図が側面図）、図２３（ａ）乃至（ｃ）は動作機構の各動作態様とホルダ（表示部材）の姿勢との対応関係を示す側面図であり、図２４は本発明による作用効果を説明するための模式図である。
【００２１】
図８乃至図２３に示すように、第１の演出用可動装置Ａは、サブ画像表示装置（表示部材）３０、動作機構６０を主構成要素としている。
即ち、主画像表示装置（主表示部材）７の前面にある表示画面７ａの前方にはサブ画像表示装置（表示部材）３０が配置されており、サブ画像表示装置３０は、動作機構（サブ画像表示装置動作機構）６０によって図１、図２、図１０（ｃ）、図１２（ｄ）等に示した下降位置（第１の位置）と、図３、図４、図１０（ａ）、図１１（ａ）等に示した上昇位置（第２の位置）との間を進退自在に構成されている。
サブ画像表示装置３０は、表示装置基部３３と、表示装置基部３３の前面に配置された長方形状の表示画面（表示面）３１と、表示装置基部３３の後面に配置されたギミック等の装飾部材５０と、を備えている。
【００２２】
表示装置基部３３は、前面及び後面を除いた４つの側端部のうちの対向する２つの側端部、本例では長手方向両側端部に夫々設けた被軸支部３４ａを夫々各ホルダ部材４０に設けた軸支部３４によって軸支されることにより回転（自転）自在に構成されており、表示画面３１と装飾部材５０を交互に前面側に方向転換して遊技者に視認させるように構成されている。
各ホルダ部材４０は、表示装置基部３３の長手方向両側端縁の各中間部に設けた各被軸支部３４ａを回転自在に軸支することにより各被軸支部３４ａ（軸支部３４）間を結ぶ回転軸線（第１の回転軸）３４Ａを中心として表示装置基部３３を正逆回転させる。
【００２３】
また、各ホルダ部材４０は第１の回転軸３４Ａよりも後方寄り位置（且つ下方位置）に、第１の回転軸３４Ａと平行な第２の回転軸（他の回転軸）４１を有し、各ホルダ部材４０は第２の回転軸４１を中心として回動することにより、サブ画像表示装置３０が図１、図１０（ｃ）等に示した下降位置にある時に、各ホルダ部材間に保持したサブ画像表示装置３０の表示画面３１の上下方向角度を変化させるように構成されている。
また、各ホルダ部材４０では、第２の回転軸４１は図１６等に示した弾性部材（トーションバネ等）９７によって各ホルダ部材底面の前端部を下向きに下降させるように常時弾性付勢されている。従って、ホルダ部材に対してその前部を上昇させる力が加わって上向きに回動した場合であっても、その上向きの力が解除されることによりホルダは原位置（下方へ回動し切った位置）に復帰するように構成されている。ホルダが下降へ回動し切った位置においては、サブ画像表示装置の前面３１は略垂直な姿勢を維持している。
【００２４】
第２の回転軸４１は、２つのホルダ部材間を連結する連結部材４５によって支持されている。つまり、連結部材４５に設けた第２の回転軸４１によって、各ホルダ部材４０は上下方向へ回動自在に軸支されている。各ホルダ部材４０と連結部材４５とは、ホルダＨを構成している。
第２の回転軸４１により回動自在に保持された各ホルダ部材４０、及びサブ画像表示装置３０は、動作機構６０によって所定の移動経路に沿って進退自在に構成されている。本例では、主画像表示装置７の前面の表示画面７ａに沿って表示画面の端縁（下端縁）から中心部方向に向けて進退するように構成されている。また、連結部材の背面中間部適所に設けた第３の回転軸４６を動作機構６０を構成する部材（第１の往復部材７１）によって軸支することにより、ホルダＨ、及びサブ画像表示装置は主画像表示装置の表示画面とほぼ並行な平面に沿って回転する。第３の回転軸４６は、第１の回転軸３４Ａ、及び第２の回転軸４１と直交（或いは交差）しているため、サブ画像表示装置３０とホルダＨは、直交した各回転軸を中心として夫々異なった方向に回転することとなる。
【００２５】
言い換えれば、ホルダＨ（連結部材４５）は、動作機構６０によって液晶表示装置本体の周縁寄りの第１の位置（図１、図２）と、内部寄りの第２の位置（図３、図４）との間を往復移動するようにガイドされつつ、第３の回転軸４６を中心として回転するように構成されている。
つまり、動作機構６０は、サブ画像表示装置３０を保持したホルダＨを、所定の移動経路、本例では主画像表示装置の下端縁中心部と表示画面の略中心部との間の上下方向へ延びる移動経路に沿って往復移動させる。
なお、この縦方向への移動経路は一例に過ぎず、横方向、斜め方向等々、種々変形が可能である。
【００２６】
サブ画像表示装置３０の移動経路の最下部にはホルダＨ（ホルダ部材４０）の下降経路と干渉する位置にストッパ４９が固定配置されている（図１３、図２３等を参照）。
動作機構６０が各ホルダ部材４０、及びサブ画像表示装置３０と共に連結部材４５を移動経路の最下部（一端部）まで下降させた際に、ストッパ４９がホルダ部材４０の下部（第２の回転軸４１よりも前部）と接して相対的にホルダ部材を押し上げることにより、各ホルダ部材４０の前部を第２の回転軸４１を中心として上向きに回動させる。このため、ホルダ部材により保持されたサブ画像表示装置３０の表示画面（表示面）３１を、第２の回転軸４１を中心として所定の角度（ホルダＨが傾斜した角度）だけ上向きに傾斜させることができる。即ち、サブ画像表示装置３０は、上方位置にある時には弾性部材９７の力により表示画面３１を垂直な姿勢に維持しているが、ホルダ部材が下降してその前部底面（第２の回転軸よりも前部）がストッパ４９と接した後も、ホルダ部材の後部は更に所定距離下降することによりストッパ４９がホルダ部材の前部底面を押し上げることになるため、サブ画像表示装置の表示画面３１は上向きに傾斜した姿勢となる。
【００２７】
動作機構６０は、遊技盤、或いは遊技盤に固定された他の部材に固定された固定部材６１に設けたガイド部材６３によって上下動自在にガイドされることによって連結部材４５を保持して上下方向に往復移動させる昇降機構（移動機構）７０と、昇降機構７０を駆動して昇降動作させる駆動機構８０と、を備えている。
本例では固定部材６１は、遊技盤の裏面に固定される液晶ベース２５（図１３）の下部に対して前面側から固定される部材であり、後固定部材６１Ａと前固定部材６１Ｂ（図１４）とから構成されている。液晶ベース２５は中央が開放した開口部２５ａとなっており、その背面に主画像表示装置（主表示部材）７の前面外周縁を添設して支持するように構成されている。
【００２８】
ガイド部材６３は、固定部材６１の背面に設けられたスライドレールであり、固定部材６１に固定されたベース部６３ａと、ベース部６３ａによって上下方向へスライド自在に支持された可動部６３ｂと、を有する。可動部６３ｂは昇降機構７０を構成する第１の往復部材７１に固定されている（図１５、図１７等）。
図１３、図１４等に示すように、駆動機構８０は、固定部材６１（６１Ｂ）に固定されたモータ８１と、モータにより回転駆動される出力ギヤ８２と、固定部材６１により軸支され且つ出力ギヤ８２と噛合して回転する第１中間ギヤ８３と、固定部材６１により軸支され且つ第１中間ギヤ８３と噛合して回転する第２中間ギヤ８４と、固定部材６１により一端の軸部８５ａを軸支されることにより軸部８５ａを中心として上下方向へ揺動（回動）する揺動部材８５と、を概略有している。揺動部材８５の長手方向中間部適所に設けた長穴８５ｂ内には第２中間ギヤ８４の側面に突設したピン（転動ローラ等を含む）８４ａが遊嵌して長穴８５ｂ内を移動自在となっている。このため、モータ８１が所定の角度の範囲内で各ギヤ８２、８３を正逆回転させて第２中間ギヤ８４をその中心軸を中心として正逆回転させることにより、揺動部材８５は軸部８５ａを中心として図１２（ｄ）、図１７に示した下降位置と図１１（ａ）（ｂ）、図１９（ｂ）等に示した上昇位置との間を揺動する。
【００２９】
揺動部材８５の他端部に設けた長穴８５ｃには、昇降機構７０を構成する第１の往復部材７１に設けたピン７１ａが遊嵌しており、揺動部材８５が上下方向へ揺動する際にピン７１ａが長穴８５ｃ内を往復移動することにより、第１の往復部材７１をガイド部材６３に沿って昇降させることができる。
また、図１１、図１２等に示すように、揺動部材８５が揺動する際の軌道を安定させるために、揺動部材の背面適所から突設したピン８５ｄを固定部材６１に設けた円弧状のガイド長穴６１ａ内に遊嵌させて、ガイド長穴６１ａ内に沿ってピン８５ｄ（揺動部材）を移動させるようにしている。
【００３０】
図８乃至図２３に示すように、昇降機構（移動機構）７０は、ホルダＨ（連結部材４５）をその背面適所に設けた第３の回転軸４６を中心として回転自在に支持すると共にホルダＨを所定の昇降移動経路に沿って往復動させ、且つ第３の回転軸を中心とした同心状の円弧を描くガイドスリット７２を備えた第１の往復部材７１と、第１の往復部材７１によってその昇降移動経路と並行な方向へ独立して進退自在に支持されると共にガイドスリット７２と連通する位置関係を有した横方向へ延びる長穴７６を上部に有した略Ｌ字形の第２の往復部材７５と、第２の往復部材７５の上方への移動の限界位置を定めるために固定部材６１側に固定されたストッパ片７８（図１８（ａ））と、連結部材４５の後面に設けられてガイドスリット７２と長穴７６内に同時に突出して遊嵌するピン４７と、を備えている。つまり、ピン４７は、第１の往復部材７１と第２の往復部材７５の昇降動作中、常にガイドスリット７２と長穴７６内に同時に嵌合している。そして、連結部材４５（ホルダＨ）は、第１の往復部材７１と第２の往復部材７５が昇降する過程で、ピン４７を経由した駆動力を受けて第３の回転軸４６を中心として正逆回転動作することができる。
なお、ピン４７とは、ガイドスリット及び長穴内をスムーズに移動できる突起、転動部材等を含むものである。
【００３１】
ピン４７、ガイドスリット７２、及び長穴７６は、ホルダＨを第３の回転軸（他の回転軸）４６を中心として回転させる回転機構を構成している。
ガイド部材６３を構成する可動部６３ｂは、第１の往復部材７１に固定されており、下降位置にある第１の往復部材７１を駆動機構８０によって上昇させる際に、可動部６３ｂがベース部６３ａにより安定して上下方向へガイドされるため、第１の往復部材７１の移動経路を安定させることができる。
【００３２】
第１の往復部材７１と第２の往復部材７５との間には、弾性部材７７が配置されており、第２の往復部材７５は弾性部材７７によって常時上昇方向へ付勢されている。つまり、本例では、弾性部材７７の一端を第３の回転軸４６の軸周りに支持すると共に他端を第２の往復部材７５の下部に突設した係止片７５ａに係止することにより、第２の往復部材を常に第３の回転軸へ向けた方向へ付勢している。つまり、第２の往復部材７５は、弾性部材７７によって第３の回転軸４６（上向き）に向けて引き付けられているため、第１の往復部材７１が最下降位置から上昇する過程で第２の往復部材７５は下部に設けた突起（被係止部）７５ｂがストッパ片７８と接するまでは第１の往復部材と一体的に上昇する（図１８（ａ）（ｂ）→図１９（ａ）（ｂ）、図２０（ｃ）→（ｂ）→（ａ））。また、連結部材４５が水平な姿勢（移動経路と直交する姿勢）にある時には、ピン４７が長穴７６の一端部に接した位置にあり（図１７、図１８（ａ））、連結部材４５が４５度傾斜した中間姿勢にあるときにはピン４７は長穴７６の他端部と接した位置にあり（図１８（ｂ））、連結部材４５が垂直な姿勢にある時にはピン４７は長穴７６の一端部と接した位置にある（図１９（ａ）、（ｂ））。
【００３３】
駆動機構８０は、第１の往復部材７１を往復動作させることにより連結部材４５を下降位置（外側位置＝第１の位置）と、上昇位置（内側位置＝第２の位置）との間で往復動作させる。そして、第１の往復部材７１が連結部材の下降位置に対応する位置から上昇位置に対応する位置に移動する過程で、第２の往復部材７５は下端部に設けた突起７５ｂが固定側のストッパ片７８と当接するまでは第１の往復部材７１と一体的に移動し、突起７５ｂがストッパ片７８と当接することにより、第２の往復部材７５が上方への移動を規制された後は第１の往復部材だけが弾性部材７７に抗して上方への移動を継続する。更に、ピン４７は、第２の往復部材７５がストッパ片７８によって上方への移動を規制された後は横長の長穴７６に沿って外径方向（第２の回転軸４６から離間する方向。図１７等の背面図では左方向）へ移動しつつ、ガイドスリット７２に沿って相対的に周方向へ移動することによりホルダＨ、及びサブ画像表示装置３０を第３の回転軸４６を中心として回転させる。ピン４７がガイドスリット７２の他端に達した時点では図１８（ｂ）のようにサブ画像表示装置は４５度の傾斜角度となっており、ピン４７がガイドスリット７２の一端に戻った時点では図１９（ａ）（ｂ）の垂直姿勢に移行しており、それ以上の回動が停止する。
【００３４】
このように本例では、サブ画像表示装置３０が下降位置から上昇位置に達する過程ではサブ画像表示装置３０は水平な姿勢を維持しているが（図１２（ｃ）、（ｄ）、図１７、図１８（ａ））、上昇位置に達してから９０度回動することにより縦長の姿勢に変更する（図１１（ａ）、図１８（ｂ）、図１９（ａ）（ｂ））。
即ち、サブ画像表示装置３０の高さ位置と、昇降機構７０との関係は、次の通りである。第１の往復部材７１がサブ画像表示装置の下降位置に対応する位置から上昇して、第２の往復部材７５の突起７５ｂがストッパ片７８に当接した時点でピン４７が長穴７６によりそれ以上の上昇を阻止されるため（図１８（ａ）図２０（ａ））、連結部材４５（サブ画像表示装置）の上昇は停止する。その後も第１の往復部材７１が単独で上昇を継続すると、長穴７６によってそれ以上の上昇を阻止されているピン４７は長穴内を横方向へ移動しつつ、ガイドスリット７２内を相対的に移動する（図１８（ｂ）、図１９（ａ））。つまり、第２の往復部材７５の突起７５ｂがストッパ片７８に当接した時点でピン４７は長穴７６によりそれ以上の上昇を阻止されるが、ピンは長穴７６内を横方向へ移動する余地が残されているため、第１の往復部材の更なる上昇に伴ってピンは長穴内を横方向へ移動しながら、ガイドスリット７２内に沿って相対的に周方向へ移動することができる。つまり、第２の往復部材が上昇を阻止された後で第１の往復部材７１が単独で上昇する際の力はホルダＨ（サブ画像表示装置）を回転させる力として利用される。ピン４７がガイドスリット７２内を相対的に周方向移動する過程で、連結部材４５（ホルダＨ）は第３の回転軸４６を中心として回動する。
【００３５】
逆に、第１の往復部材７１が最も上昇した位置から下降する際には、上記と逆の手順を経ることにより、連結部材４５を逆戻り回転させて水平姿勢に戻してから下降させるという動作が行われる。つまり、駆動機構８０を下降方向へ逆転駆動させることによって第１の往復部材７１が最上昇位置（図２０（ａ））から、ストッパ片７８によって停止させられた状態にある第２の往復部材７５の高さ位置まで達するまでの間において、ピン４７はガイドスリット７２を上昇時とは逆方向へ移動するため、連結部材４５は第３の回転軸を中心として逆戻り方向に回転して水平姿勢となる。引き続き駆動機構８０を逆転方向へ駆動させると、第１の往復部材と第２の往復部材が一体となって下降開始し、最後に最下降位置に戻る（図２０（ａ）（ｂ）（ｃ））。
【００３６】
各ホルダ部材４０は第２の回転軸４１に設けた弾性部材９７によって第２の回転軸４１を中心として前端部を下向きに付勢されており、外力が加わらない場合にはホルダにより支持されたサブ画像表示装置３０は垂直な姿勢を維持している。
第１の往復部材７１により支持されたホルダＨが図１２（ｄ）、図２０（ｃ）に示した最下降位置に達する直前で各ホルダ部材４０の下面がストッパ４９と接するが、その後引き続いてホルダＨが下降して最下降位置に達すると、各ホルダ部材４０の前部が第２の回転軸４１を中心として上向きに回動させられる。このため、ホルダＨにより保持されたサブ画像表示装置３０の表示画面３１を弾性部材９７に抗して第２の回転軸４１を中心として所定の角度（ホルダ部材が傾斜した角度）だけ上向きに傾斜させることができる（図８、図２０（ｃ）、図２２（ｃ）、図２３（ｃ））。
【００３７】
本実施形態においては、昇降機構（移動機構）７０、駆動機構８０は、前後方向の厚さ寸法を薄く構成されているため、主画像表示装置７が大型化、厚肉化して主画像表示装置の前面とガラス板との間のスペースが狭小化したとしても、このスペース内に十分に収納することが可能である。
【００３８】
次に、図１５、図１６はサブ画像表示装置３０を支持するホルダの構成を示す説明図である。
サブ画像表示装置３０は、長手方向両側端部に夫々設けた被軸支部３４ａを夫々各ホルダ部材４０Ａ、４０Ｂに設けた軸支部３４によって軸支されることにより回転（自転）自在に構成されており、一方のホルダ部材４０Ａに搭載したモータ９１を含むサブ画像表示装置回転機構９０によってサブ画像表示装置を回転させる。
サブ画像表示装置回転機構は、モータ９１と、モータの出力ギヤ９１ａと、ホルダ部材により回転自在に軸支され且つ出力ギヤ９１ａと順次噛合した中間ギヤ９２ａ、９２ｂと、中間ギヤ９２ｂの軸心部を構成する軸支部３４と、これらを収容するケース９５ａ、９５ｂと、を有している。軸支部３４は、サブ画像表示装置３０側の被軸支部３４ａと係合することによって、モータ９１からの回転駆動力をサブ画像表示装置に伝達して回転させる。
即ち、モータ９１が制御手段からの制御信号に基づいて正逆回転することにより、サブ画像表示装置３０を任意の回動角度で、任意の方向に回動させることができる。
【００３９】
ホルダ部材４０Ｂは、サブ画像表示装置の他方の被軸支部３４ａを支持するためのケーシング構造９６ａ、９６ｂを有している。
なお、各ギヤ９２ａ、９２ｂ、軸支部３４を樹脂材料で構成すると共に、ギヤ９２ｂの一部に鉄片９８を固定してギヤ９２ｂと一体回転するように構成する。更にケース９５ｂの内面の鉄片（磁性体）９８の回転移動経路と近接する二箇所に永久磁石９８ａ、９８ａを離間配置する。一方の永久磁石９８ａは、サブ画像表示装置３０の前面が前方を向いた時に鉄片９８を吸引することによりその姿勢を垂直、その他の任意の初期姿勢に維持し、他方の永久磁石９８ａはサブ画像表示装置３０の後面が前方を向いた時に鉄片９８を吸引することによりその姿勢を所定に維持するように配置する。
なお、ギヤ９２ｂ側に永久磁石を配置し、ケース９５ｂ側に鉄片を配置してもよい。或いは、両方に磁石を配置して互いに吸引するように構成してもよい。
モータ９１と、鉄片９８と、二個の永久磁石９８ａと、モータを制御する図示しない制御手段（ＣＰＵ）は、サブ画像表示装置の姿勢（傾斜角度＝回転角度）の変更と維持を行う姿勢制御機構（表示部材姿勢制御機構）を構成している。
鉄片９８が一方の永久磁石９８ａと近接した位置関係にあることによりサブ画像表示装置３０の前面を所定の初期姿勢に維持している時に、モータ９１を作動させることにより鉄片９８を一方の永久磁石９８ａから強制的に離脱させ、所定角度回転した時点で他方の永久磁石９８ａと吸引させることにより、サブ画像表示装置３０の前面を異なった姿勢に変更した上でその姿勢に維持することができる。
また、サブ画像表示装置３０の表示画像面が前方を向いた初期姿勢でホルダにより保持されている時に、動作機構がホルダ及びサブ画像表示装置を下降させてホルダ下部をストッパ４９と当接させることにより、サブ画像表示装置の前面を第１の回転軸を中心として所定角度傾斜させることが可能となる。
【００４０】
次に、図２２、図２３に基づいてサブ画像表示装置を下降させる過程で、表示画面３１を垂直な姿勢から上向きに傾斜させた姿勢に変位させる手順について説明する。
上述のようにホルダ部材４０によって両端部を軸支されたサブ画像表示装置３０は、弾性部材（トーションバネ等）９７によってホルダ部材の底面前端部を下向きに下降させるように常時弾性付勢されている。このため外力が加わらない場合、即ち図２２（ａ）（ｂ）、図２３（ａ）（ｂ）の場合にはサブ画像表示装置の表示画面３１は垂直な姿勢を維持している。
【００４１】
動作機構６０による下降動作によってホルダＨが図２２（ｂ）、図２３（ｂ）の高さ位置まで下降した時点では、ホルダ部材４０の下面（第２の回転軸４１よりも前方位置）は固定部材に設けたストッパ４９と接触してはいるが、弾性部材９７に抗する力は加わっていない。その後、ホルダＨが下降を継続するとホルダ部材４０の下面がストッパ４９によって相対的に、且つ弾性部材９７に抗して押し上げられるため、ホルダＨ及びサブ画像表示装置３０は図２２（ｃ）、図２３（ｃ）に示したようにその前面側を上向きに傾斜させた姿勢（表示面３１を前方に向けさせた状態で内側端縁（上側端縁）を後方へ傾斜させた姿勢）となる。
このサブ画像表示装置の傾斜姿勢は、ストッパ４９の上面、即ちホルダ部材４０の下面と接触する面を予め所定に傾斜させておくことにより、一定にすることができる。
遊技盤の前方に位置する遊技者が、最下降位置にあるサブ画像表示装置３０の表示画面３１に視線を落とした場合に、表示画面３１と視線とが直交に近い角度で交差するようにサブ画像表示装置の傾斜角度を設定しておくことにより、表示画面の映像を明瞭に視認することが可能となる。
【００４２】
図２４はホルダＨを第２の回転軸４１を中心として上向きに傾斜させることによってホルダが保持したサブ画像表示装置（表示部材）３０の前面を角度θ上向きに傾斜させた場合の側面図である。本実施形態では、図２５に示した従来例とは異なり、表示部材３０自体を回転させて傾斜させるのではなく、表示部材の回転軸３４Ａよりも後方、且つ下方に配置した第２の回転軸４１を中心としてホルダＨ（ホルダ部材４０）、及びサブ画像表示装置３０を上向きに角度θ回動させている。
このため、サブ画像表示装置３０が実線で示した垂直姿勢にある時の前端面が、第２の回転軸４１を中心として後方へ角度θ回動した後では、ホルダ部材Ｈとの位置関係を変動させることなく距離Ｌ１だけ後方へ退避することとなり、図２４のようにサブ画像表示装置の一部たりとも前方へは突出しないことになる。
このため、サブ画像表示装置３０の前方に他の部材、例えばガラス板Ｇを近接配置させても、ガラス板Ｇとの干渉を恐れる必要がなくなり、レイアウト自由度が高まる。
なお、上記実施形態では、サブ画像表示装置（表示部材）が上下動する場合について説明したが、本発明はサブ画像表示装置が左右、斜め方向等々、種々移動する場合一般に適用することができる。
【００４３】
以上のように本発明では、ホルダＨが主画像表示装置（主表示部材）７の周縁寄り位置にない時に、サブ画像表示装置（表示部材）３０は前方を向いた姿勢とし、ホルダが周縁寄り位置にある時に、ストッパ４９がホルダと接して表示面３１を前方に向けさせた状態で内側端縁を後方へ傾斜させるように構成した。このため、主画像表示装置の前面に沿って進退動作するサブ画像表示装置が遊技者の目の正面位置から離れた位置に移動した場合に、構成を複雑化したり、前後方向突出長を増大させることなく、サブ画像表示装置の表示画像を遊技者の視線に合わせて傾斜させて表示画面の映像を視認し易くすることができる。
【００４４】
また、従来、サブ画像表示装置を上向きに傾斜させるためには、ホルダ部材にサブ画像表示装置を傾斜させるためのモータ等を搭載する必要があり、これが大型化、コストアップの原因となっていたが、本発明ではサブ画像表示装置の下降時にストッパと接することによって傾斜させるように構成したので、サブ画像表示装置を傾斜させるための専用モータが不要となり、ホルダの構成をシンプル化することができる。
また、本発明では、少なくとも一面に表示面を備えた表示部材を主表示部材前方の遊技機内の狭いスペース内で回転させたり、遊技盤面と略並行な方向へ移動させたい場合に、回転させたり移動させるための機構を薄型化、コンパクト化することができる。このため、前後方向スペース、上下左右方向スペースが狭い空間にこれらの機構を収容することが可能となり、レイアウト自由度を高めることができる。
【００４５】
具体的には、例えば主画像表示装置の前面側に配置されるサブ画像表示装置を回転させたり遊技盤面と略並行な任意の経路で移動させるための動作機構をコンパクト化することができるので、主画像表示装置の厚さが大きくなってその前方のスペースが狭くなっても、或いは上下左右方向へのスペースが狭くなっても、十分にサブ画像表示装置を配置することができる。
なお、本発明の遊技機に使用する画像表示装置、サブ画像表示装置に用いる表示装置としては、液晶表示装置、リアプロジェクタ、その他、任意の表示装置を採用することができる。
本発明のサブ画像表示装置の移動機構を備えた遊技盤は、パチンコ遊技機のみならず、スロットマシン、その他、表示装置を有した遊技機、ゲーム機一般に適用することができる。
【符号の説明】
【００４６】
１…遊技機、２…遊技盤、３…遊技領域、３A…開口部、５ａ…レール、５ｂ…レール、５ｃ…防止片、６…飾り部材、７…主画像表示装置（主表示部材）、７ａ…表示画面、８…演出図柄、１３…始動口、１４…始動口、１４ｂ…開閉扉、１５…ゲート、１６…大入賞口、１６ｂ…大入賞口開閉扉、１７…大入賞口、１７ｂ…大入賞口可動片、１８…一般入賞口、１９…アウト口、２５…液晶ベース、２５ａ…開口部、３０…サブ画像表示装置（表示部材）、３１…表示画面（表示面）、３３…表示装置基部、３４…軸支部、３４ａ…被軸支部、３４Ａ…第１の回転軸、４０…ホルダ部材、４０Ａ…ホルダ部材、４１…第２の回転軸、４５…連結部材、４６…第３の回転軸、４７…ピン、４９…ストッパ、５０…装飾部材、５１…モータ、５１ａ…出力ギヤ、５２ａ…中間ギヤ、５２ｂ…中間ギヤ、５３…従動ギヤ、５４…回動片、６０…動作機構、６１…固定部材、６１Ａ…後固定部材、６１Ｂ…前固定部材、６１ａ…ガイド長穴、６３…ガイド部材、６３ａ…ベース部、６３ｂ…可動部、７０…昇降機構（移動機構）、７１…第１の往復部材、７１ａ…ピン、７２…ガイドスリット、７５…第２の往復部材、７５ａ…係止片、７５ｂ…突起、７６…長穴、７７…弾性部材、７８…ストッパ片、８０…駆動機構、８１…モータ、８２…出力ギヤ、８３…中間ギヤ、８４…中間ギヤ、８５…揺動部材、８５ａ…軸部、８５ｂ…長穴、８５ｃ…長穴、８５ｄ…ピン、９０…サブ画像表示装置回転機構、９１…モータ、９１ａ…出力ギヤ、９２…中間ギヤ、９３…従動ギヤ、３００…外枠、３１０…ガラス枠、３１１…操作ハンドル、３１２…音声出力装置、３１３ａ…演出用照明装置、３１４…演出ボタン、３１５…受皿ユニット、３２０Ｌ…演出用可動照明装置。
【要約】
【課題】表示部材が遊技者の目の正面位置から離れた位置に移動した場合に、構成を複雑化したり、前後方向突出長を増大させることなく、表示部材の表示面を遊技者の視線に合わせて傾斜させて表示面を視認し易くした。
【解決手段】表示部材３０の被軸支部３４ａにより回転自在とするホルダＨと、被軸支部間を結ぶ第１の回転軸３４Ａと並行であり且つ後方寄りに配置されて各ホルダを回転自在に軸支する第２の回転軸４１と、ホルダと第２の回転軸を所定の移動経路に沿って移動させると共に第３の回転軸４６によってホルダを回転自在に軸支する動作機構６０と、ホルダが移動経路の一端に位置する時にホルダと接することにより表示部材を第２の回転軸を中心として任意の角度傾斜させるストッパと、を有している。
【選択図】図２２【図１】
0005286434.tif 000002
【図２】
0005286434.tif 000003
【図３】
0005286434.tif 000004
【図４】
0005286434.tif 000005
【図５】
0005286434.tif 000006
【図６】
0005286434.tif 000007
【図７】
0005286434.tif 000008
【図８】
0005286434.tif 000009
【図９】
0005286434.tif 000010
【図１０】
0005286434.tif 000011
【図１１】
0005286434.tif 000012
【図１２】
0005286434.tif 000013
【図１３】
0005286434.tif 000014
【図１４】
0005286434.tif 000015
【図１５】
0005286434.tif 000016
【図１６】
0005286434.tif 000017
【図１７】
0005286434.tif 000018
【図１８】
0005286434.tif 000019
【図１９】
0005286434.tif 000020
【図２０】
0005286434.tif 000021
【図２１】
0005286434.tif 000022
【図２２】
0005286434.tif 000023
【図２３】
0005286434.tif 000024
【図２４】
0005286434.tif 000025
【図２５】
0005286434.tif 000026